(57)【要約】【課題】一般家庭などにおいて、既設の配管を利用して通信ケーブルを追加配線する。【解決手段】導体２を絶縁体３によって被覆してなる同一径の４本の絶縁芯線４を、対角線上の２本の絶縁芯線４によって対をなすように、正方形の各頂点に配置し、撚り合わせて４芯星形コア５を形成する。そして、２本の４芯星形コア５，５の外周をシース６によって被覆する。この際、シース６は、各４芯星形コア５，５に分離することができる。【選択図】  図１
2004228023.tif 000002
【特許請求の範囲】
【請求項１】
対角線上の２本の絶縁芯線によって対を形成するように、４本の絶縁芯線を正方形の各頂点に配置して撚り合わせてなる２本の４芯星形コアと、各４芯星形コアの外周側を分離可能に被覆するシースと、から構成されたことを特徴とする通信ケーブル。
【請求項２】
前記各４芯星形コアのカッド撚りピッチが異なることを特徴とする請求項１記載の通信ケーブル。
【請求項３】
請求項１または２記載の通信ケーブルを一次側と二次側との間に配線し、各４芯星形コアの絶縁芯線を独立して、あるいは、２本の４芯星形コアの絶縁芯線を組み合わせて通信回線に使用することを特徴とする通信ケーブルを用いた配線システム。
【発明の詳細な説明】
【０００１】
【発明の属する技術分野】
本発明は、通信ケーブルおよび通信ケーブルを用いた配線システムに関するものである。
【０００２】
【従来の技術】
近年、インターネットの普及に伴って、一般家庭などにもデータ通信ケーブルの配線が必要になってきている。しかしながら、一般家庭などでは、データ通信ケーブルを追加配線することが考慮されておらず、このため、データ通信ケーブルを追加配線する場合は、既設の電話回線ケーブルの配管や、ＴＶ信号用同軸ケーブルの配管を利用する必要がある。
【０００３】
なお、データ通信ケーブルとしては、通常、伝送速度が１００ＭｂｐｓのＵＴＰケーブルが広く使用されている。すなわち、ＵＴＰケーブル１０は、図５に示すように、２本の絶縁芯線１１を対撚りした撚り線対１２を４組集め、４組の撚り線対１２の外周をシース１３で覆って構成されている。
【０００４】
【発明が解決しようとする課題】
ところで、前述したＵＴＰケーブルは、外径が約５．５ｍｍと大きく、他のケーブルの配管に入線することは非常に困難である。また、仮に、ＵＴＰケーブルを既存の配管に入線したとしても、各撚り線対が隣接しているため、クロストークの影響を受け易く、電話回線とＬＡＮ回線を共存させることができないという問題があった。
【０００５】
本発明は、このような問題点に鑑みてなされたもので、一般家庭などにおいて、既設の配管を利用して追加配線することのできる通信ケーブルを提供するものである。また、本発明は、既設の配管を利用して追加配線できる通信ケーブルを用いて、音声とデータ通信あるいは大容量のデータ通信を選択することのできる配線システムを提供するものである。
【０００６】
【課題を解決するための手段】
本発明は、対角線上の２本の絶縁芯線によって対を形成するように、４本の絶縁芯線を正方形の各頂点に配置して撚り合わせてなる２本の４芯星形コアと、各４芯星形コアの外周側を分離可能に被覆するシースと、から構成されたことを特徴とするものである。
【０００７】
本発明によれば、各４芯星形コアの対をなす２本の絶縁芯線は、導体間の離隔を大きくとれるため、撚り線対の場合よりも絶縁厚を小さくすることができる。したがって、２本の４芯星形コアからなる通信ケーブルは、４組の撚り線対からなるＵＴＰケーブルに比較して、偏平になるとともに、その長径方向の長さについても、ＵＴＰケーブルの外径より小さくすることが可能となり、既設の配管、例えば、電話回線ケーブルの配管を利用して配線することができる。
【０００８】
この際、隣接する４芯星形コア間の離隔を大きくとれるため、電話信号のクロストークを減少させることができ、各４芯星形コアの絶縁芯線をそれぞれ電話回線とデータ通信回線に使用することができ、両回線を共存させることができる。この結果、電話回線とデータ通信回線とを統合して配線することが可能となり、容易に施工することができる。また、シースを分離することにより、各４芯星形コアの絶縁芯線毎に使用することもできる。
【０００９】
本発明において、前記各４芯星形コアのカッド撚りピッチが異なると、隣接する４芯星形コア間の離隔を確保することと相俟ってさらに電話信号のクロストークを抑制することができる。
【００１０】
また、本発明は、請求項１または２記載の通信ケーブルを一次側と二次側との間に配線し、各４芯星形コアの絶縁芯線を独立して、あるいは、２本の４芯星形コアの絶縁芯線を組み合わせて通信回線に使用することを特徴とするものである。
【００１１】
本発明によれば、ＲＪ−１１モジュラジャックに対応する２個のモジュラロゼットの一方に、通信ケーブルにおける一方の４芯星形コアの絶縁芯線を接続するとともに、他方のモジュラロゼットに他方の４芯星形コアの絶縁芯線を接続して、各４芯星形コアにおける２対の絶縁芯線をデータ通信用および音声用にそれぞれ使用することができる。また、ＲＪ−４５モジュラジャックに対応する１個のモジュラロゼットに、通信ケーブルにおける８本の絶縁芯線を接続して、伝送速度１Ｇｂｐｓのデータ通信用に使用することもできる。
【００１２】
【発明の実施の形態】
以下、本発明の実施の形態を図面に基づいて説明する。
【００１３】
図１には、本発明の通信ケーブル１の一実施形態が示されている。
【００１４】
この通信ケーブル１は、導体２を絶縁体３によって被覆してなる同一径の４本の絶縁芯線４を正方形の各頂点に配置し、撚り合わせて形成された２本の４芯星形コア５と、各４芯星形コア５の外周を覆うとともに、隣接する４芯星形コア５を分離可能に連結するシース６と、から構成され、各４芯星形コア５における対角線上の２本の絶縁芯線４によって対を形成している。そして、各４芯星形子コア５は、異なる撚りピッチで撚り合わされている。
【００１５】
ここで、各４芯星形コア５の対をなす２本の絶縁芯線４は、導体２，２間の離隔を大きくとれるため、撚り線対の場合よりも絶縁厚を小さくすることができる。
【００１６】
この結果、２本の４芯星形コア５からなる通信ケーブル１は、４組の撚り線対からなるＵＴＰケーブルに比較して、偏平になるとともに、その長径方向の長さについても、ＵＴＰケーブルの外径より小さくすることが可能となり、既設の配管、例えば、電話回線ケーブルの配管を利用して配線することができる。
【００１７】
また、隣接する４芯星形コア５，５間の離隔を大きくとれること、各４芯星形コア５の撚りピッチが相違していることから、電話信号のクロストークを減少させることができる。したがって、既存の配管内に入線された通信ケーブル１における各４芯星形コア５の絶縁芯線４をそれぞれ電話回線とデータ通信回線に使用することができ、両回線を共存させることができる。また、電話回線とデータ通信回線とを統合して配線することが可能となり、容易に施工することができる。
【００１８】
例えば、図２（ａ）に示すように、ＲＪ−１１モジュラジャックに対応する２個のモジュラロゼット７の一方に、既設の配管内に入線した通信ケーブル１における一方の４芯星形コア５の絶縁芯線４を接続するとともに、他方のモジュラロゼット７に他方の４芯星形コア５の絶縁芯線４を接続して、各４芯星形コア５における２対の絶縁芯線４をデータ通信用および音声用にそれぞれ使用することができる。また、図２（ｂ）に示すように、ＲＪ−４５モジュラジャックに対応する１個のモジュラロゼット７Ａに、既設の配管内に入線した通信ケーブル１における８本の絶縁芯線４を接続して、伝送速度１Ｇｂｐｓのデータ通信用に使用することもできる。
【００１９】
次に、このような通信ケーブル１を用いた配線システムについて説明する。
【００２０】
例えば、既にＡＤＳＬ回線が開設されている場合は、図３に示すように、スプリッタ１１、ＡＤＳＬモデム１２、ルータ１３、スイッチングハブ１４およびパッチパネル１５を備えたボックス１０を配設し、信号をスプリッタ１１にて分岐し、分岐された一方の回線を音声用としてパッチパネル１５の端子に接続するとともに、他方の回線をデータ通信用として、ＡＤＳＬモデム１２、ルータ１３およびスイッチングハブ１４を経て設定された各端子に接続する。そして、パッチパネル１５の設定された端子と、リビングに配設された２個のモジュラロゼット７間に通信ケーブル１を接続する。同様に、パッチパネル１５の設定された端子と、和室および主寝室にそれぞれ配設されたモジュラロゼット７間、さらには、パッチパネル１５の設定された端子と、子供部屋１，２にそれぞれ配設されたモジュラロゼット７間にそれぞれ通信ケーブル１を接続する。
【００２１】
なお、パッチパネル１５に接続された通信ケーブル１を、和室および主寝室にそれぞれ配設されたモジュラロゼット７、さらには、子供部屋１，２にそれぞれ配設されたモジュラロゼット７に接続するには、通信ケーブル１を途中位置で一方の４芯星形コア５と他方の４芯星形コア５とに分離し、各４芯星形コア５の絶縁芯線４をそれぞれ対応するモジュラロゼット７に接続すればよい。
【００２２】
また、パッチパネル１５により、電話とデータ通信とを自由に切り替えできるものとする。
【００２３】
このように通信ケーブル１を配線することにより、ＡＤＳＬ回線を利用して、リビングにおいて電話およびデータ通信が可能となり、和室、主寝室、子供部屋１，２においてデータ通信が可能となる。
【００２４】
一方、ＣＡＴＶ回線が開設され、合わせてＩＰ電話を使用している場合は、図４に示すように、ケーブルモデム２１、ルータ２２、スイッチングハブ２３、マルチメディア・ターミナル・アダプタ（ＭＴＡ）２４およびパッチパネル２５を備えたボックス２０を配設し、信号を、ケーブルモデム２１、ルータ２２を経てスイッチングハブ２４に接続するとともに、スイッチングハブ２４において、音声用回線とデータ通信用回線とに分岐し、それぞれパッチパネル２５の設定された各端子に接続する。そして、パッチパネル２５の設定された端子と、リビングに配設された２個のモジュラロゼット７間に通信ケーブル１を接続する。同様に、パッチパネル２５の設定された端子と、和室および主寝室にそれぞれ配設されたモジュラロゼット７間、さらには、パッチパネル２５の設定された端子と、子供部屋１，２にそれぞれ配設されたモジュラロゼット７間にそれぞれ通信ケーブル１を接続する。
【００２５】
なお、パッチパネル２５に接続された通信ケーブル１を、和室および主寝室にそれぞれ配設されたモジュラロゼット７、さらには、子供部屋１，２にそれぞれ配設されたモジュラロゼット７に接続するには、前述したように、通信ケーブル１を途中位置で一方の４芯星形コア５と他方の４芯星形コア５とに分離し、各４芯星形コア５の絶縁芯線４をそれぞれ対応するモジュラロゼット７に接続すればよい。
【００２６】
また、パッチパネル２５により、ＩＰ電話とデータ通信とを自由に切り替えできるものとする。
【００２７】
このように通信ケーブル１を配線することにより、ＣＡＴＶ回線を利用して、リビングにおいてＩＰ電話およびデータ通信が可能となり、和室、主寝室、子供部屋１，２においてデータ通信が可能となる。
【００２８】
【発明の効果】
以上のように本発明の通信ケーブルによれば、一般家庭などにおいて、既設の配管を利用して追加配線することができる。
【００２９】
また、本発明の通信ケーブルを用いた配線システムによれば、既設の配管を利用して追加配線できる通信ケーブルを用いて、音声とデータ通信あるいは大容量のデータ通信を選択することができる。
【図面の簡単な説明】
【図１】本発明の通信ケーブルの一実施形態を示す断面図である。
【図２】図１の通信ケーブルの配線例を示す説明図である。
【図３】図１の通信ケーブルを用いた配線例を示す説明図である。
【図４】図１の通信ケーブルを用いた他の配線例を示す配線図である。
【図５】ＵＴＰケーブルを示す断面図である。
【符号の説明】
１  通信ケーブル
２  導体
３  絶縁体
４  絶縁芯線
５  ４芯星形コア
６  シース
７，７Ａ  モジュラロゼット
【図１】
2004228023.tif 000003
【図２】
2004228023.tif 000004
【図３】
2004228023.tif 000005
【図４】
2004228023.tif 000006
【図５】
2004228023.tif 000007